(57)【特許請求の範囲】
【請求項１】
ターンテーブルが固着されるスピンドルモータを設置するモータベースを光学ヘッドが支持されるシャーシに取り付ける構成の光ディスク装置であって、前記シャーシには金属材料により構成される複数本の支柱が固着され、前記モータベースは前記支柱にネジ止めにより固定されると共に、前記モータベースはスピンドルモータが設置される面がパターン面となる金属基板により構成され、前記支柱における前記モータベースとの接触面に絶縁性材料による被膜を施して前記モータベースと前記支柱との接触面を絶縁し、かつ、前記モータベースにおけるパターン面の裏側となる裏面に絶縁性の制振材の被膜を施して前記モータベースを前記支柱にネジ止めするネジから絶縁し、前記モータベースと前記支柱とを絶縁したことを特徴とする光ディスク装置。
【請求項２】
支柱にネジ止めするネジに絶縁性材料のワッシャーを介在させたことを特徴とする請求項１記載の光ディスク装置。
【発明の詳細な説明】
【０００１】
【発明の属する技術分野】
本発明は、光学ヘッドが支持されるシャーシにスピンドルモータが設置されるモータベースを取り付ける構成の光ディスク装置に関し、特に、スピンドルモータに供給される駆動電流に起因する誘導電圧がシャーシに伝達されないようにした光ディスク装置に関する。
【０００２】
【従来の技術】
光学ヘッドを用いて光学的にディスクに対して記録及び再生を行う光ディスク装置としては、ターンテーブルが固着されるスピンドルモータを設置するモータベースを光学ヘッドが支持されるシャーシに取り付ける構成を採用し、前記モータベースを前記シャーシに対して傾角調整して固定することにより光学ヘッドから出射される光ビームの光軸をディスクに対して垂直にするスキュー調整が行えるようにしたものが存在する。
【０００３】
このような構成の光ディスク装置においては、モータベース上にスピンドルモータが構成されたり、モータベース上にスピンドルモータを駆動する駆動信号が供給されるパターンが形成されたり、あるいは前記駆動信号を発生する駆動回路が設置されたりしてモータベース自体が回路基板となっている場合が多い。そして、前記モータベースとしては剛性及び平面度が必要であるために鉄基板が用いられる場合が多かった。
【０００４】
また、前記シャーシへの前記モータベースの取り付けは、シャーシとモータベースとの間に複数本の支柱を介在してそれらの支柱にネジ止めして行われるが、前記支柱は寸法精度が必要であり、あるいは経時変化に対する特性も必要であるので、真鍮等の導電性の金属材料により構成されており、前記シャーシと前記モータベースとは電気的な結合が行われている。
【０００５】
また、ネジが支柱の役割も担うようにして支柱を用いずにネジにより前記シャーシに前記モータベースを取り付ける場合もあるが、ネジは通常金属材料により構成され、導電性を有しているので、前記シャーシと前記モータベースとは電気的な結合が行われている。
【０００６】
【発明が解決しようとする課題】
ところで、スピンドルモータを駆動する駆動信号としては一般にＰＷＭ（パルス幅変調）信号が用いられるが、このパルス状の駆動信号のためにモータベースに誘導電圧が発生する。
【０００７】
前述のようにシャーシとモータベースとが電気的に結合されていると、前記誘導電圧がシャーシを介して光学ヘッドのアースに入り、ディスクの読み取り信号であるＲＦ信号に前記誘導電圧に起因するノイズが混入するという問題があった。
【０００８】
【課題を解決するための手段】
本発明は、シャーシに金属材料により構成される複数本の支柱を固着し、モータベースを前記支柱にネジ止めにより固定すると共に、前記モータベースをスピンドルモータが設置される面がパターン面となる金属基板により構成され、前記支柱における前記モータベースとの接触面に絶縁性材料による被膜を施して前記モータベースと前記支柱との接触面を絶縁し、かつ、前記モータベースにおけるパターン面の裏側となる裏面に絶縁性の制振材の被膜を施して前記モータベースを前記支柱にネジ止めするネジから絶縁し、前記モータベースと前記支柱とを絶縁する。これにより前記モータベースをシャーシから絶縁し、スピンドルモータを駆動する駆動信号によりモータベースに発生される誘導電圧がシャーシを介して光学ヘッドのアースに入り込むのを防止する。
【０００９】
【実施例】
図１は本発明に係る光ディスク装置の一実施例を示す展開斜視図である。
【００１０】
シャーシ１は鋼板のプレス加工により構成され、このシャーシ１には光学ヘッド２が両脇に配置されているガイドレール３（片方図示されず）にガイドされて移動可能に支持されていると共に、光学ヘッド２が移動される可動範囲に空間４が設けられている。
【００１１】
モータベース５は鉄基板により構成され、このモータベース５のパターン面にはスピンドルモータ６が設置され、このスピンドルモータ６のローターにターンテーブル７が固着されている。
【００１２】
シャーシ１にはモータベース５と対向する位置に３本の支柱８がカシメられて固着されており、一方、モータベース５には前記各支柱８と対向する位置にそれぞれ支柱８の先端部８ａが嵌入される孔９が形成されている。
【００１３】
前記各支柱８の先端部８ａをそれぞれ対応するモータベース５の各孔９に嵌入させ、その状態で各支柱８にそれぞれスプリングワッシャー付きネジ１０をワッシャー１１を介在させて螺合し、これによりモータベース５は前記各支柱８に支承されてシャーシ１に取り付け固定される。
【００１４】
モータベース５にシャーシ１が取り付けられた状態において、ターンテーブル７はシャーシ１の空間４から突出されて配置され、該ターンテーブル７と光学ヘッド２との位置関係が最適となるように設定される。
【００１５】
図２は、支柱８にネジ１０が螺合された状態を示す断面図である。図２に示す如く、支柱８はモータベース５側においてモータベース５、ワッシャー１１及びネジ１０に接触される。
【００１６】
ところで、各支柱８は真鍮により構成されており、支柱８の表面にはエポキシ系ゴムによる被膜１２がモータベース５側の約半分の範囲に焼き付け処理によって形成されている。前記被膜１２は絶縁性材料であるので、支柱８におけるモータベース５との接触面が絶縁処理されたこととなる。
【００１７】
また、ワッシャー１１としては絶縁性材料のポリエステル製の合成樹脂ワッシャーが用いられ、これによりネジ１０とモータベース５とが絶縁される。その為、前記モータベース５は、各支柱８から電気的にフローティングされる。
【００１８】
したがって、スピンドルモータ６に供給される駆動電流に起因する誘導電圧がシャーシ１に伝達されることが防止される。
【００１９】
また、モータベース５のパターン面の裏側となる裏面には、塗料タイプの制振材１３、例えばユレナインＤＰ（商標）（シーシーアイ株式会社製）が各支柱８の周辺だけでなく略全面に塗布されており、これによりモータベース５に制振効果が付与されている。
【００２０】
その為、ターンテーブル７に装着されたディスクが回転されることにより発生する振動がモータベース５により低減される。
【００２１】
そして、前記制振材１３として絶縁性材料のものを使用することによりワッシャー１１が絶縁性、導電性に関わらず、また、ワッシャー１１を省いてもネジ１０とモータベース５とを絶縁させることが出来、合成樹脂ワッシャー１１を用いずに前記モータベース５を各支柱８から電気的にフローティングさせることが出来る。
【００２２】
【発明の効果】
以上の如く、本発明に依れば、スピンドルモータに供給される駆動電流に起因する誘導電圧がシャーシに伝達されるのを防止でき、ディスクの読み取り信号であるＲＦ信号に前記誘導電圧に起因するノイズが混入されるのが防止できる。
【００２３】
この場合、モータベースを金属基板により構成し、支柱を金属材料により構成しているので、機械的精度を確保できる。
【００２４】
また、モータベースにおけるパターン面の裏側となる裏面に絶縁性の制振材の被膜を施しているので、前記モータベースに制振効果が付与され、ディスクが回転されることにより発生する振動をモータベースにより低減させることが出来る。
【図面の簡単な説明】
【図１】本発明に係る光ディスク装置の一実施例を示す展開斜視図である。
【図２】支柱８にネジ１０が螺合された状態を示す断面図である。
【符号の説明】
１          シャーシ
２          光学ヘッド
５          モータベース
６          スピンドルモータ
８          支柱
１０          ネジ
１１          ワッシャー
１２          被膜
１３          制振材
【図１】
0003639477.tif 000002
【図２】
0003639477.tif 000003